(57)【要約】【課題】目視による照合作業をすることなくプリント元の写真フイルムを検索できるようにする。【解決手段】ネガフイルム１１には、各コマ１１ａ毎に、第１無線タグ１２が設けられており、この第１無線タグ１２内にはフイルムＩＤとコマ番号とからなるフイルムコマＩＤが格納されている。写真プリント１３には、第２無線タグ１４が設けられており、この第２無線タグ１４には、写真プリント１３のプリント元となるフイルムコマＩＤがプリントコマＩＤとして格納されている。検索装置１６は、第１及び第２無線タグ１２，１４にアクセスして情報を読み取る読み取り部２６と、読み取ったフイルムコマＩＤとプリントコマＩＤとを照合する手段と、その照合結果を表示する表示パネル３１とを備えている。【選択図】        図１
2005017369.tif 000002
【特許請求の範囲】
【請求項１】
コマ画像を現像した現像済み写真フイルムに設けられ、この写真フイルムのフイルム識別情報が格納された第１無線タグと、前記現像済み写真フイルム内のコマ画像をプリント元とする写真プリントに設けられ、前記フイルム識別情報が格納された第２無線タグと、前記フイルム識別情報に基づいて写真プリントに対応する写真フイルムを検索する写真フイルム検索装置とからなる写真フイルム検索システムであって、
前記写真フイルム検索装置は、前記第１及び第２の各無線タグにアクセスして前記フイルム識別情報を読み取る情報読み取り手段と、この情報読み取り手段によって読み取った２つのフイルム識別情報を照合する照合手段と、この照合手段による照合結果を報知する報知手段とからなることを特徴とする写真フイルム検索システム。
【請求項２】
前記第１無線タグは、前記現像済み写真フイルム内の各コマ毎に設けられるとともに、前記第１及び第２の各無線タグには、前記フイルム識別情報に加えて、コマ画像を識別するコマ識別情報も格納されることを特徴とする請求項１記載の写真フイルム検索システム。
【請求項３】
写真フイルムに設けられ、フイルム識別情報を格納した第１無線タグと、写真プリントに設けられ、前記フイルム識別情報を格納した第２無線タグの両方にアクセスして、前記フイルム識別情報を読み取る情報読み取り手段と、第１及び第２の各無線タグから読み取った２つのフイルム識別情報を照合する照合手段と、この照合手段による照合結果を報知する報知手段とからなることを特徴とする写真フイルム検索装置。
【請求項４】
フイルム識別情報を格納可能な無線タグを設けたことを特徴とする写真フイルム。
【発明の詳細な説明】
【０００１】
【発明の属する技術分野】
本発明は、写真プリントからそのプリント元の写真フイルムを検索する写真フイルム検索システムに関するものである。
【０００２】
【従来の技術】
写真プリントの焼き増しに際しては、焼き増しを希望する写真プリントの画像と、ネガフイルムなどの現像済み写真フイルムの各コマとを目視により照合して、プリント元の写真フイルムを探し出す必要がある。しかし、写真プリントとプリント元の写真フイルムとが整理されて保管されていない場合も多く、また、整理されている場合でも、ネガフイルムでは画像の色が反転しているため画像内容の確認がしづらい。特に、似たようなシーンが複数ある場合には、それらを区別するのは非常に困難であった。このため、プリント元の写真フイルムの検索作業は、非常に手間のかかるものであった。
【０００３】
そこで、現像済みの写真フイルムやそれを収納するカートリッジケースに写真フイルムＩＤを表示するとともに、その写真フイルムからプリントされた写真プリントには、印画紙の裏面に前記写真フイルムＩＤを印刷により記録する写真処理方法が知られている（例えば、下記特許文献１参照）。これによれば、プリント元の写真フイルムを検索する場合には、写真プリントの裏面に記載されたフイルムＩＤと、写真フイルムあるいはカートリッジケースのＩＤ表示とを目視によって照合していけばよく、ネガフイルムの各コマを１コマ１コマ照合していく方法として比較して、検索作業を簡便にすることができる。
【０００４】
【特許文献１】
特開平６−２８２０４５号公報
【０００５】
【発明が解決しようとする課題】
しかしながら、上記方法では、目視による照合対象が、画像内容の代わりにフイルムＩＤになったことで、照合作業の手間は軽減されるものの、目視による照合作業自体は依然として残る。目視による照合作業は、端的に言って労力を必要とする作業であり、視力の弱い人にとっては特に負担が大きい。
【０００６】
本発明は、目視による照合作業をすることなくプリント元の写真フイルムを検索できるようにすることを目的とする。
【０００７】
【課題を解決するための手段】
前記目的を達成するために、本発明の写真フイルム検索システムは、コマ画像を現像した現像済み写真フイルムに設けられ、この写真フイルムのフイルム識別情報が格納された第１無線タグと、前記現像済み写真フイルム内のコマ画像をプリント元とする写真プリントに設けられ、前記フイルム識別情報が格納された第２無線タグと、前記フイルム識別情報に基づいて写真プリントに対応する写真フイルムを検索する写真フイルム検索装置とからなる写真フイルム検索システムであって、前記写真フイルム検索装置は、前記第１及び第２の各無線タグにアクセスして前記フイルム識別情報を読み取る情報読み取り手段と、この情報読み取り手段によって読み取った２つのフイルム識別情報を照合する照合手段と、この照合手段による照合結果を報知する報知手段とからなることを特徴とする。
【０００８】
前記第１無線タグは、前記現像済み写真フイルム内の各コマ毎に設けられるとともに、前記第１及び第２の各無線タグには、前記フイルム識別情報に加えて、コマ画像を識別するコマ識別情報も格納されることが好ましい。
【０００９】
また、本発明の写真フイルム検索装置は、写真フイルムに設けられ、フイルム識別情報を格納した第１無線タグと、写真プリントに設けられ、前記フイルム識別情報を格納した第２無線タグの両方にアクセスして、前記フイルム識別情報を読み取る情報読み取り手段と、第１及び第２の各無線タグから読み取った２つのフイルム識別情報を照合する照合手段と、この照合手段による照合結果を報知する報知手段とからなることを特徴とする。
【００１０】
また、本発明の写真フイルムは、フイルム識別情報を格納可能な無線タグを設けたことを特徴とする。
【００１１】
【発明の実施の形態】
図１は、本発明を実施した写真フイルム検索システム１０の概略図である。現像済みのネガフイルム１１は、例えば、１本の写真フイルムを複数のピースに切断した状態で、フイルムホルダー８に収納される。各写真プリント１３は、ネガフイルム１１をプリント元として、各コマ１１ａの画像を印画紙に焼き付けたものであり、これらの写真プリント１３は、例えば、プリントホルダー（アルバム）９に収納されて整理される。写真フイルム検索システム１０は、写真プリント１３を焼き増しする場合など、写真プリント１３から、そのプリント元のネガフイルム１１を検索する際に使用される。
【００１２】
写真フイルム検索システム１０は、現像済みのネガフイルム１１に設けられた第１無線タグ１２と、写真プリント１３に設けられた第２無線タグ１４と、検索装置１６とからなる。第１無線タグ１２は、ネガフイルム１１の各コマ１１ａ毎に設けられており、それぞれの第１無線タグ１２には、ネガフイルム１１のフイルムＩＤ（フイルム識別情報）とコマ番号とからなる情報が、フイルムコマＩＤとして格納されている。他方、第２無線タグ１４は、１枚の写真プリント１３毎に設けられており、第２無線タグ１４には、前記各コマ１１ａに対応する情報が、プリントコマＩＤとして格納されている。検索装置１６は、第２無線タグ１４にアクセスして所望の写真プリント１３のプリントコマＩＤを取り込み、取り込んだプリントコマＩＤと、前記第１無線タグ１２内のフイルムコマＩＤとを照合することにより、プリント元となるネガフイルム１１のコマ１１ａを検索する。
【００１３】
第１及び第２の各無線タグ１２，１４は、電磁波を媒体にして交信可能な小型の非接触型ＩＣメモリであり、それぞれ、情報を記憶する第１及び第２の各ＩＣメモリチップ２１，２２と、この各ＩＣメモリチップ２１，２２に外部から無線によりアクセスできるように電磁波を送受信するアンテナ部２３，２４とから構成される。無線タグは、周知のように、無線により各種の認証を行うＲＦＩＤ（Ｒａｄｉｏ  Ｆｒｅｑｕｅｎｃｙ  Ｉｄｅｎｔｉｆｉｃａｔｉｏｎ）システムの構成要素として広く普及しつつあり、ＲＦＩＤタグや電子荷札などとも呼ばれる。無線タグのサイズは、数ｍｍ四方程度の大きさで、厚みもコンマ数ｍｍ程度である。
【００１４】
通信方式としては、マイクロ波型、電磁誘導型など各種の方式がある。無線タグの交信可能距離は、通信方式や電磁波の強弱によって異なるが、おおよそ数ｍｍ程度〜数十センチ程度の範囲である。第１及び第２の各無線タグ１２，１４は、複数のコマ１１ａ毎あるいは各写真プリント１３毎に設けられるから、隣接する２つのタグ間で混線が生じることがないように、各無線タグ１２，１４の交信距離としては、数ｍｍ〜数センチ程度の範囲で設定することが好ましい。
【００１５】
ＩＣメモリチップ２１，２２としては、記憶保持動作に給電が不要な不揮発性メモリが使用される。ＩＣメモリチップ２１，２２へ情報を書き込んだり、書き込まれた情報を読み取る場合など、各無線タグ１２，１４を動作させるための電力は、検索装置１６から送信される電磁波をキャリアとして供給される。このため、各無線タグ１２，１４には電源が不要である。
【００１６】
第１及び第２の各無線タグ１２，１４は、現像時及びプリント時に、ネガフイルム１１や写真プリント１３にそれぞれ貼付される。このため、例えば、各無線タグ１２，１４としては、一方の面に粘着剤が塗布されたシールタイプのものが使用される。第１無線タグ１２は、ネガフイルム１１の各コマ１１ａの撮影領域外に貼付される。第２無線タグ１４は、印画紙の裏面に貼付される。
【００１７】
各ＩＣメモリチップ２１，２２には、それぞれフイルムコマＩＤとプリントコマＩＤとが格納される。これらフイルムコマＩＤとプリントコマＩＤとは同一のコマ識別情報（ＩＤ）であり、このコマＩＤは、ネガフイルム１１のフイルムＩＤ（フイルム識別情報）と、各コマＮＯとからなる構成される。例えば、図に示すように、ネガフイルム１１のフイルムＩＤが「Ａ１００００００」で、そのネガフイルム１１内のコマ番号が「１０」のコマには、「Ａ１００００００−０１０」というコマＩＤが付与される。そして、ネガフイルム１１上のコマ番号「１０」のコマ１１ａには、そのコマＩＤがフイルムコマＩＤとして格納された第１無線タグ１２が貼付される。さらに、そのコマ１１ａをプリント元としてプリントされた写真プリント１３には、前記コマＩＤが付与され、第２無線タグ１４には、付与されたコマＩＤがプリントコマＩＤとして格納される。
【００１８】
フイルムＩＤは、周知のように、１３５タイプの写真フイルムであれば、光学的なビットマークにより記録され、ＩＸ２４０タイプの写真フイルムであれば、磁気情報として記録される。現像時にネガフイルム１１からこのフイルムＩＤが読み取られ、そのフイルムＩＤにコマ番号を付加したコマＩＤが、無線タグライターによって第１及び第２の各無線タグ１２，１４に書き込まれる。当該コマＩＤが書き込まれた第１及び第２の各無線タグ１２，１４は、対応するネガフイルム１１のコマ１１ａと、そのコマ１１ａの画像を焼き付けた写真プリント１３にそれぞれ貼付される。こうして、ネガフイルム１１の各コマ１１ａと、各写真プリント１３とが対応付けられる。
【００１９】
検索装置１６は、本体形状が、例えば、略しゃもじ形状をしており、その頭部には、読み取り部２６，電源ボタン２７，取り込みボタン２８，確定ボタン２９，検索ボタン３０，取り消しボタン３２，表示パネル３１が設けられている。もちろん、装置の本体形状は、略しゃもじ形状に限らず他の形状であってもよい。本体内には、駆動電源として、小型の電池（図４の符号４８参照）が装填されている。読み取り部２６は、第１及び第２の各無線タグ１２，１４との間で電磁波を送受信することにより、各ＩＣメモリチップ２１，２２にアクセスしてコマＩＤを読み取る。
【００２０】
取り込みボタン２８は、所望の写真プリント１３のプリントコマＩＤの取り込みと、取り込んだプリントコマＩＤを確定させるためのボタンである。取り込みボタン２８を押下すると、検索装置１６の動作モードが取り込みモードになる。取り込みモードにした状態で、読み取り部２６を所望の写真プリント１３の第２無線タグ１４に近づけると、その第２無線タグ１４からプリントコマＩＤが取り込まれて、装置１６内のＲＡＭ（図４の符号４２参照）に書き込まれる。
【００２１】
この取り込みモードでは、ＲＡＭ４２内にプリントコマＩＤを１つだけ取り込めるようになっており、あるプリントコマＩＤを取り込んだ状態で、別のプリントコマＩＤを取り込むと、ＲＡＭ４２内のプリントコマＩＤは順次上書き更新される。例えば、ある写真プリント１３の第２無線タグ１４に読み取り部２６を近づけると、その第２無線タグ１４に格納されたプリントコマＩＤが検索装置１６に取り込まれる。１つのプリントコマＩＤを取り込んだ状態で、別の写真プリント１３の第２無線タグ１４に読み取り部２６を近づけると、別のプリントコマＩＤが取り込まれて、ＲＡＭ４２内に既に取り込まれていたプリントコマＩＤが、新たに取り込まれたコマＩＤに上書き更新される。
【００２２】
表示パネル３１は、例えば、ＬＣＤ（Ｌｉｑｕｉｄ  Ｃｒｙｓｔａｌ  Ｄｉｓｐｌａｙ  ）が使用されている。図３に示すように、表示パネル３１には、取り込んだコマＩＤを表示するコマＩＤ表示領域３１ａと、照合結果等のメッセージを表示するメッセージ表示領域３１ｂとが設けられている。検索装置１６に取り込まれたプリントコマＩＤは、表示パネル３１に表示され、その表示内容は、ＲＡＭ４２が更新される毎に順次切り替わる。
【００２３】
確定ボタン２９は、取り込んだプリントコマＩＤを検索対象コマＩＤとして確定させるためのボタンであり、この確定ボタン２９が押下されると、読み取り動作が停止され、この状態で読み取り部２６を第２無線タグ１４に近づけてもプリントコマＩＤの取り込みが行われなくなる。取り消しボタン３２は、確定したコマを取り消す場合に使用される。
【００２４】
検索ボタン３０は、ネガフイルム１１から、検索対象コマＩＤと一致するコマ１１ａを検索する際に使用される。検索ボタン３０が押下されると、検索装置１６の動作モードが検索モードへ移行する。この検索モードでは、ネガフイルム１１の第１無線タグ１２からフイルムコマＩＤが読み取られ、読み取られたフイルムコマＩＤと、検索対象コマＩＤとが照合される。
【００２５】
第１無線タグ１２からのフイルムコマＩＤの読み取りは、取り込みモードと同様に、読み取り部２６を第１無線タグ１２へ近づけることにより行われ、読み取られたフイルムコマＩＤはＲＡＭ４２へ書き込まれる。そして、書き込まれたフイルムコマＩＤは、検索対象コマＩＤと照合され、両者が一致した場合には、例えば、「ヒットしました！」というように、一致した旨のメッセージが、一致しない場合には、例えば、「一致しません」などのメッセージがメッセージ表示領域３１ｂに表示される。別のコマ１１ａの第１無線タグ１２へ読み取り部２６を近づけると、新たなフイルムコマＩＤが読み取られて、照合処理が繰り返されるとともに、メッセージ表示領域３１ｂには順次照合結果が表示される。こうして、表示パネル３１により照合結果がユーザーに報知される。
【００２６】
検索対象コマを変更する場合には、検索モードにおいて、取り込みボタン２８を押下する。取り込みボタン２８の押下により、ＲＡＭ４２内の検索対象コマＩＤがクリアされて、動作モードが検索モードから取り込みモードへ移行する。
【００２７】
図４は、検索装置１６の電気構成の概略を示すブロック図である。検索装置１６には、ＣＰＵ４１，ＲＡＭ４２，ＲＯＭ４３，ＲＦ回路４４，アンテナ部４６，操作キー４７（電源ボタン２７，取り込みボタン２８，確定ボタン２９，検索ボタン３０），表示パネル３１からなる。検索装置１６は、本体に装填された電池４８によって給電を受ける。ＣＰＵ４１は、各部を制御するとともに、検索対象コマＩＤと、フイルムコマＩＤとを照合して、両者が一致するか否かを判定する。
【００２８】
ＲＯＭ４３には、ＣＰＵ４１が実行する動作プログラムが記憶されている。ＲＡＭ４２は、ＣＰＵ４１が動作プログラムを実行するための作業用メモリであり、上述したように、各無線タグ１２，１４から読み取ったそれぞれのコマＩＤを一時的に記憶する。ＲＦ回路４４とアンテナ部４６とは読み取り部２６を構成する。アンテナ部４６は、各無線タグ１２，１４との間で交信用の電磁波を送受信する。ＲＦ回路４４は、アンテナ部４６の電磁波の送受信を制御する。
【００２９】
以下、上記構成による作用について、図５に示すフローチャートを参照しながら説明する。写真プリント１３のプリント元のネガフイルム１１を検索する場合には、取り込みボタン２８を押下して、検索装置１６を取り込みモードにする。この状態で、読み取り部２６を所望の写真プリント１３の第１無線タグ１２に近づけて、プリントコマＩＤを取り込む。取り込まれたプリントコマＩＤは、ＲＡＭ４２に書き込まれるとともに、表示パネル３１にそのプリントコマＩＤが表示される。
【００３０】
他のプリントコマＩＤを取り込む場合には、別の写真プリント１３の第２無線タグ１４に近づける。そうすると、その第２無線タグ１４からプリントコマＩＤが取り込まれて、ＲＡＭ４２内のプリントコマＩＤが更新されるとともに、表示パネル３１のプリントコマＩＤの表示も切り替わる。取り込んだプリントコマＩＤを確定させる場合には、確定ボタン２９を押下する。これにより、プリントコマＩＤが検索対象コマＩＤとして確定される。
【００３１】
確定後、検索ボタン３０を押下して、検索装置１６を検索モードへ移行させる。この状態で、読み取り部２６を第１無線タグ１２に近づけると、フイルムコマＩＤが読み取られ、ＣＰＵ４１によってプリントコマＩＤとの照合が行われる。両者が一致した場合には、表示パネル３１に対象コマが見つかった旨のメッセージが表示される。他方、一致しない場合には、その旨のメッセージが表示される。読み取り部２６を他のコマ１１ａの第１無線タグ１２に順次近づけると、同様の処理が順次繰り返される。１つのネガフイルム１１内に対象コマが見つからない場合に、別のネガフイルム１１を検索する場合には、上記と同様の手順でネガフイルムから対象コマを検索する。
【００３２】
ユーザーは、対象コマが見つかった場合には、その焼き増し枚数をフイルムホルダー８の対象コマに対応する位置にボールペンなどを用いて書き込む。別の写真プリント１３のコマを検索する場合には、取り込みボタン２８の押下により、いったん取り込みモードへ移行して、プリントコマＩＤの再取り込みを行った後、ネガフイルム１１の検索を実行する。
【００３３】
このように、写真フイルム検索システム１０によれば、画像やフイルムＩＤの目視による照合作業が不要となる。このため、写真フイルムの検索を非常に簡単に行うことができる。
【００３４】
上記実施形態では、コマＩＤを１コマずつ検索装置に取り込み、取り込んだ１コマ毎に検索を行う例で説明したが、検索装置に複数コマのＩＤを取り込めるようにして、複数コマを連続して検索できるようにしてもよい。このように、複数のコマを連続して取り込む場合には、取り込み時に、各コマの焼き増し枚数を指定できるようにするとよい。焼き増し枚数は、画像を確認しながら行うのが通常であるので、写真プリント１３の画像の確認が可能な取り込み時に指定できるようにすれば、便利である。
【００３５】
図６に示す検索装置５１は、複数コマの連続検索機能と、焼き増し枚数指定機能を設けた例である。この検索装置５１のＲＡＭ４２としては、複数コマのＩＤを格納可能な容量のものが使用される。また、操作ボタンとして、枚数指定ボタン５２が設けられている。
【００３６】
この検索装置５１は、第１の実施形態と異なり、写真プリント１３からのコマＩＤを取り込む処理を、複数の写真プリント１３に対して連続的に行うことができる。取り込まれたコマＩＤは、順次ＲＡＭ４２に格納され、コマＩＤ表示領域３１ａに複数のコマＩＤが表示される。１つのコマＩＤを取り込んだ際に、枚数指定ボタン５２を押下すると、コマ番号の右側に表示される焼き増し枚数がカウントアップされる。初期値は「１」になっており、１回押す毎に１枚ずつ増加する。図６の例では、コマＩＤ表示領域３１ａに３つのコマＩＤが表示されており、コマ番号が「０１０」及び「０１１」の枚数は２枚、コマ番号が「０１２」の枚数は１枚にそれぞれ指定されている。取り込みが終了し、確定ボタン２９が押下されると検索対象となるコマが確定される。取り消しボタン３２は、取り込みの確定や、指定した枚数をキャンセルする。
【００３７】
そして、検索ボタン３０を押下して検索モードに移行させて、ネガフイルム１１の検索を実行する。検索は、例えば、取り込んだコマの順に行われる。図６に示す例の場合には、コマＩＤ表示領域３１ａに示すとおり、コマ番号が「０１０」，「０１１」，「０１２」の順に取り込みが行われているので、検索もその順番で行われる。もちろん、検索対象コマを選択するカーソルボタンなどを設けて、検索順序を変更できるようにしてもよい。１コマの検索が終了すると、その旨のメッセージが表示されるとともに、検索対象コマが次ぎのコマに移行する。ユーザーは、対象コマが１コマ見つかった時点で、コマＩＤ表示領域３１ａに表示される焼き増し枚数を、フイルムホルダー８に書き込む。対象コマが見つからない場合には、取り消しボタン３２を押下して、当該コマの検索を終了させることができる。そのコマの検索を取り消すと、検索対象コマが次のコマに移行する。すべてのコマ検索が終了すると、その旨のメッセージがメッセージ表示領域３１ｂに表示される。
【００３８】
また、この例では、指定した焼き増し枚数をコマＩＤ表示領域３１ａに表示する例で説明しているが、表示するだけではなく、さらに、対象コマの第１無線タグ１２に焼き増し枚数を転送できるようにしてもよい。この場合には、検索装置５２に、指定した焼き増し枚数をネガフイルム１１の第１無線タグ１２に転送して、書き込み処理を実行させる転送ボタンが必要になる。転送のタイミングとしては、ネガフイルム１１から対象コマを検索して、対象コマが見つかったときであり、この際に転送ボタンが押下されると、検索装置５２から当該対象コマの第１無線タグ１２に対して焼き増し枚数が送信されて書き込まれる。このように、ネガフイルム１１内の第１無線タグ１２に焼き増し枚数を書き込めるようにすれば、現像所では、無線タグリーダーを使用して第１無線タグ１２に格納された焼き増し枚数を読み取ることにより、顧客が希望するコマとその焼き増し枚数を自動的にプリンタに取り込むことができる。そして、現像所では、指定されたコマのプリントをする際に、そのコマの第１無線タグ１２に格納された焼き増し枚数をクリアする。
【００３９】
上記実施形態の写真フイルム検索システムでは、ネガフイルムの各コマ毎に、フイルムコマＩＤを格納した第１無線タグを設けて、ネガフイルム内のコマまで特定できるようにしているが、コマの特定までできるようにしなくてもよく、複数本のネガフイルムの中から、検索対象コマを含むネガフイルムを特定するシステムでもよい。この場合には、１本のネガフイルムに、フイルムＩＤを格納した第１無線タグを１つずつ設けておけば済む。
【００４０】
また、ネガフイルムを例に説明しているが、もちろん、ポジフイルムでも構わない。また、１本の写真フイルムの中に複数コマを含む写真フイルムでなくてもよく、スライド用の写真フイルムや４×５インチ判の写真フイルムのように、１枚に１コマずつ記録される写真フイルムでもよい。この場合には、１枚の写真フイルムに１つずつ第１無線タグが設けられる。
【００４１】
上記実施形態では、写真プリント及び写真フイルムに設けられる無線タグとして、シールタイプの無線タグを使用し、現像時及びプリント時に、その無線タグを貼付する例で説明しているが、無線タグを、印画紙や写真フイルムの製造時にそれら支持体内に埋め込んでおいてもよい。この場合には、例えば、写真フイルムには、その製造時にフイルムＩＤが書き込まれた第１無線タグが埋め込まれる。他方、印画紙には、その製造時に未記録の第２無線タグが埋め込まれる。そして、プリント時に、写真フイルムの第１無線タグからフイルムＩＤを読み取り、その読み取ったフイルムＩＤが前記第２無線タグへ書き込まれる。もちろん、写真フイルムと、印画紙の両方に、未記録の無線タグを埋め込んでおき、現像時及びプリント時にその両者に同一の情報を記録するようにしてもよい。
【００４２】
また、照合結果を表示パネルに表示する例で説明したが、音声によって照合結果をユーザーに報知してもよい。
【００４３】
【発明の効果】
以上詳細に説明したように、本発明は、フイルム識別情報を格納した第１及び第２の各無線タグを、写真フイルムとそれをプリント元とする写真プリントのそれぞれに設け、情報読み取り手段によって前記各無線タグ内のフイルム識別情報を読み取り、２つのフイルム識別情報を照合するとともに、その照合結果を表示するようにしたから、目視による照合作業が不要となり、プリント元の写真フイルムの検索を簡単に行うことができる。
【図面の簡単な説明】
【図１】写真フイルム検索システムの構成図である。
【図２】写真プリント及び写真フイルムに設けられる無線タグの構成図である。
【図３】検索装置に設けられた表示パネルの説明図である。
【図４】検索装置の電気構成の概略を示すブロック図である。
【図５】写真フイルム検索手順を示すフローチャートである。
【図６】枚数指定ボタンを設けた検索装置の説明図である。
【符号の説明】
１０  写真フイルム検索システム
１１  ネガフイルム
１２  第１無線タグ
１３  写真プリント
１４  第２無線タグ
【図１】
2005017369.tif 000003
【図２】
2005017369.tif 000004
【図３】
2005017369.tif 000005
【図４】
2005017369.tif 000006
【図５】
2005017369.tif 000007
【図６】
2005017369.tif 000008